(57)【要約】【課題】基板をねじ止めしようとすると、筐体本体の枠部材が邪魔になって、ねじを固定するドライバー等の工具が使えないという問題を解決すること。【解決手段】本発明の基板を筐体に取り付ける構造は、一方向に開口し該開口方向に直交する周囲を枠部材１３で取り囲まれた筐体１と、前記枠部材１３の内面に取り付けられる基板５とを有し、前記基板５はブラケット２１を介して前記枠部材１３に取り付けられ、該ブラケット２１は、前記開口方向から第１ねじ２２により前記枠部材１３に取り付けられる枠取付部２３を有する。【選択図】図１５
2008270352.tif 000002
【特許請求の範囲】
【請求項１】
一方向に開口し該開口方向に直交する周囲を枠部材で取り囲まれた筐体と、前記枠部材の内面に取り付けられる基板とを有し、前記基板はブラケットを介して前記枠部材に取り付けられ、該ブラケットは、前記開口方向から第１締結手段により前記枠部材に取り付けられる枠取付部を有することを特徴とする基板を筐体に取り付ける構造。
【請求項２】
前記枠部材の内面に筐体内方に突出するボスが設けられ、該ボスに前記枠取付部が取り付けられることを特徴とする請求項１記載の基板を筐体に取り付ける構造。
【請求項３】
前記ブラケットには、前記第１締結手段の取り付け方向と直交する方向から第２締結手段により前記基板を取り付ける基板取付部が設けられていることを特徴とする請求項１または２記載の基板を筐体に取り付ける構造。
【請求項４】
前記基板取付部には、基板とブラケットの共回りを防止する共回り防止部が設けられていることを特徴とする請求項３記載の基板を筐体に取り付ける構造。
【請求項５】
前記第１および第２締結手段は、ねじであることを特徴とする請求項３または４記載の基板を筐体に取り付ける構造。
【発明の詳細な説明】
【技術分野】
【０００１】
本発明は、電装品の基板を筐体に取り付ける構造に関する。
【背景技術】
【０００２】
従来は、図１７に示すように、基板５０を筐体５１に取り付ける場合、筐体５１のボス５２に基板５０をねじ５３で止めていた。または図１８に示すように、保持具５４を介して、ねじ止めしていた。
【発明の開示】
【発明が解決しようとする課題】
【０００３】
しかし、図１９に示すように、前記筐体５１が、周囲を枠部材で取り囲まれた矩形状の形状である場合、基板５０をねじ５３で止めようとすると、筐体本体の枠部材が邪魔になって、ねじ５３を固定するドライバー等の工具が使えないという問題があった。
【０００４】
そこで、本発明は、前記課題を解決することを目的とする。
【課題を解決するための手段】
【０００５】
本発明は、前記課題を解決するため、次の手段を講じた。すなわち、本発明の基板を筐体に取り付ける構造の特徴とするところは、一方向に開口し該開口方向に直交する周囲を枠部材で取り囲まれた筐体と、前記枠部材の内面に取り付けられる基板とを有し、前記基板はブラケットを介して前記枠部材に取り付けられ、該ブラケットは、前記開口方向から第１締結手段により前記枠部材に取り付けられる枠取付部を有する点にある。
【０００６】
前記枠部材の内面に筐体内方に突出するボスが設けられ、該ボスに前記枠取付部が取り付けられるのが好ましい。
【０００７】
前記ブラケットには、前記第１締結手段の取り付け方向と直交する方向から第２締結手段により前記基板を取り付ける基板取付部が設けられているのが好ましい。
【０００８】
前記基板取付部には、基板とブラケットの共回りを防止する共回り防止部が設けられているのが好ましい。
【０００９】
前記第１および第２締結手段は、ねじであることが好ましい。
【発明の効果】
【００１０】
本発明によれば、筐体の開口方向から基板を取り付けることができる。
【発明を実施するための最良の形態】
【００１１】
以下本発明の実施の形態を図面に基づき説明する。
図１は、本発明の基板を筐体に取り付ける構造を具備した、テレビジョン放送受信用の室内アンテナ装置の全体斜視図である。
【００１２】
室内アンテナ装置は、筐体１を有し、該筐体１内にＵＨＦ受信用のループアンテナ素子が収納されている。ＶＨＦ・ＦＭ受信用のロッドアンテナ素子２が、筐体１から出没自在に且つ伸縮自在に設けられている。筐体１は長方体を呈し、中央に貫通穴が設けられてスピーカボックスを真似た形状に形成されている。
【００１３】
このような室内アンテナ装置に、本発明の基板を筐体に取り付ける構造が採用されている。この基板は電子部品を搭載するプリント基板で、たとえば、後述するスライドスイッチ部品等が搭載される。
【００１４】
なお、前記基板を筐体に取り付ける構造を説明する前に、基板に設けられたスライドスイッチ装置を先に説明する。
【００１５】
図１においては、スライドスイッチ装置の操作部３が上下方向移動自在に示されている。
【００１６】
図２〜６に示すように、前記スライドスイッチ装置は、前記筐体１と、該筐体１内に設けられたスライドスイッチ４と、該スライドスイッチ４を操作する前記操作部３とを有する。筐体１や操作部３は、合成樹脂等で成形されたものである。
【００１７】
前記スライドスイッチ４は、基板５に取り付けられ、該基板５は、前記筐体１に取り付けられている。スライドスイッチ４は、アンテナ感度調整用であり、直進往復動自在な移動部６を有する。移動部６の移動によりアンテナ感度（指向性）が調整される。移動部６の位置決め機構は、スライドスイッチ内部に設けられている。
【００１８】
前記操作部３は、前記移動部６を操作すべく前記筐体１の表面側に設けられている。
前記筐体１には、通過部７が設けられている。この通過部７は、表面側から裏面側に至って前記移動部６の移動方向に延びるスリット状に形成されている。そして、この通過部７は、前記移動部６の移動方向に直交する方向の前記操作部３の端部に位置して形成されている。
【００１９】
前記通過部７を介して前記移動部６と操作部３とが係合している。
そして、前記筐体１は、前記通過部７を表面側から覆う構造とされている。
【００２０】
図２、３において、前記筐体１は、筐体本体８とカバー体９とから構成されている。前記筐体本体８は中央部に配置され、その左右両側にカバー体９が設けられている。左右のカバー体９の間に筐体本体８を底面とするガイド溝状の収納凹部１０が形成され、この収納凹部１０に前記操作部３が上下方向移動自在に収納されている。そして、前記操作部３の表面と前記カバー体９の表面とが面一とされている。
【００２１】
前記収納凹部１０に収納された操作部３は、正面視正方形を呈し、該操作部３の左右両端部に、目印１１が設けられ、この目印１１に対応して、カバー体９の収納凹部側端部に、位置決め表示部１２が、上下方向に所定間隔を置いて形成されている。
【００２２】
前記操作部３は、位置決め表示部１２の下端から上端までの間を往復移動自在とされている。
【００２３】
図４、５に示すように、左右のカバー体９は、中央の筐体本体８に左右方向から外嵌して組み立てられる構造とされている。
【００２４】
前記筐体本体８は、前記操作部３を支持すると共に該筐体本体８には前記通過部７が形成されている。そして、カバー体９は、前記通過部７を覆い隠すように前記筐体本体８に取り付けられている。
【００２５】
前記カバー体９により、前記移動部６の移動方向に直交する方向の前記操作部３の端部表面が覆われて、該操作部３の筐体本体８からの離脱が防止されている。
【００２６】
図６に示すように、前記筐体本体８は、中央の枠部材１３と該枠部材１３の側部に位置するサイド部材１４とから構成されている。左右一対のサイド部材１４の対向面に形成されたリブ１５に、中央部材１３が外嵌することにより、筐体本体８が組み立てられる。
【００２７】
前記サイド部材１４に前記通過部７が形成されている。
さらに図７〜９に詳細に示す如く、前記移動部６と操作部３とは、前記筐体１内に設けられた中間部材１６を介して係合している。
【００２８】
前記操作部３には第１係合部１７が形成されている。この第１係合部１７は、前記移動部６の移動方向に直交する方向の操作部３の端部に形成されている。この第１係合部１７が、前記通過部７を通過して前記中間部材１６に係合する。
【００２９】
前記中間部材１６は、前記第１係合部１７に係合する第２係合部１８と、前記移動部６に係合する第３係合部１９とを有する。
【００３０】
前記第１係合部１７は、前記操作部３の左右両端部に設けられ、前記第２係合部１８も左右一対に設けられ、前記第３係合部１９は、前記一対の第２係合部１８の間の中央部に配置されている。
【００３１】
前記第１係合部１７は、コの字形に形成された凹部を有する。第２係合部１８は、前記凹部に係合する凸部に形成され、該凸部は、中間部材１６の左右両端部に突出形成されている。第３係合部１９は、中間部材１６に形成された嵌合用孔により構成されている。
【００３２】
なお、前記第１係合部１７の表面側が前記カバー体９によって覆われ、操作部３の筐体本体８からの離脱が防止されている。
【００３３】
図１０に示す如く、操作部３の裏面には、左右両側に複数の突起２０が形成されている。この突起２０が、筐体本体８の通過部周縁（図１０に示すハッチング部分）を摺動するように構成されている。
【００３４】
操作部３の裏面全面を筐体本体８の表面に摺接させないで、部分接触させるので、摺動抵抗を減ずることができる。また筐体本体８の外部から見える部分には摺接せず、しかも、前記ハッチング部分は、カバー体９で覆われる領域であるので、摺動面に傷がついても外部から見えず、外観をきれいに保つことができる。
【００３５】
また、操作部３を筐体本体８で支持させたので、操作部３にかかる押圧力が直接スライドスイッチ４に作用することがなくなる。
【００３６】
以上が、スライドスイッチ装置の説明であるが、次に、本発明の基板を筐体に取り付ける構造の実施の形態につき詳述する。
【００３７】
図１１〜図１５に示すように、本発明の基板を筐体に取り付ける構造は、一方向に開口し該開口方向に直交する周囲を枠部材１３で取り囲まれた筐体１と、前記枠部材１３の内面に取り付けられる基板５とを有し、前記基板５はブラケット２１を介して前記枠部材１３に取り付けられ、該ブラケット２１は、前記開口方向から第１締結手段、たとえば第１ねじ２２により前記枠部材１３に取り付けられる枠取付部２３を有する。
【００３８】
この実施の形態では、前記枠部材１３は、図６に示す中央の枠部材１３であり、基板５にスライドスイッチ４が取り付けられたものである。
【００３９】
前記枠部材１３の内面に筐体内方に突出するボス２４が設けられ、該ボス２４に前記枠取付部２３が取り付けられる。
【００４０】
前記ブラケット２１には、前記第１ねじ２２の取り付け方向と直交する方向から第２締結手段、たとえば第２ねじ２５により前記基板５を取り付ける基板取付部２６が設けられている。
【００４１】
前記基板取付部２６には、基板５とブラケット２１の共回りを防止する共回り防止部２７が設けられている。
【００４２】
前記第１および第２締結手段は、ねじ２２，２５であるが、ねじに限定されずに、たとえば、リベット等であっても良い。
【００４３】
より詳細に説明すれば、図１１に示すように、筐体１の開口方向とは、紙面に直交の方向を言う。前記ボス２４は、枠部材の垂直内面から横方向の内方に直交状に突出している。ボス２４の開口方向に面した面は、平坦な取付面２４ａとされている。
【００４４】
前記ブラケット２１の枠取付部２３は、前記ボス２４の取付面２４ａに面当接する取付面２３ａに形成されている。そして、この枠取付部２３に、第１ねじ２２が挿通される孔２３ｂが設けられている。第１ねじ２２は、枠体の開口方向からこの孔２３ｂに挿通され、第１ねじ２２の先端のねじ部分が前記ボス２４にねじ込まれ、ブラケット２１は、ボス２４に固定される。
【００４５】
図１２に示すように、ブラケット２１の基板取付部２６は、基板５に面当接する基板取付面２６ａを有し、該基板取付面２６ａは、第２ねじ２５がねじ込み可能な厚みを有する部分に設けられている。基板５には、第２ねじ２５が挿通されるねじ孔２８が設けられ、このねじ孔２８に挿通された第２ねじ２５の先端のねじ部分が、前記基板取付部２６にねじ込まれ、基板５はブラケット２１に固定される。
【００４６】
この基板５とブラケット２１のねじ止めの際、ブラケット２１がねじ２５と共に共回りしないように、前記共回り防止部２７が設けられている。
【００４７】
この共回り防止部２７は、前記ブラケット２１の基板取付面２６ａより突出する凸部２９により構成されている。基板５には、この凸部２９が係合する凹部３０が設けられている。凹部３０と凸部２９が係合することにより、ブラケット２１の共回りが防止される。なお、この凹凸係合は逆であっても良い。
【００４８】
前記構成によれば、図１５に示すように、先に第２ねじ２５によりブラケット２１を基板５に固定し、そのブラケット２１を第１ねじ２２により筐体１の開口方向からねじ止めすることができるので、ドライバー等の工具が筐体１に邪魔されることはなく、組み立てが容易になる。
【００４９】
図１６に示すものは、本発明の他の実施の形態であり、共回り防止部２７の形状が前記実施の形態とは異なる。
【００５０】
すなわち、共回り防止部２７は、基板取付面２６ａの左右両側に設けられた凸部２９により構成されている。基板５には、ねじ孔２８の左右両側に、前記凸部２９を受け入れる一対の凹部３０が形成されている。
【００５１】
なお、本発明は、上記の実施の形態に示すものに限定されるものではない。
たとえば、本発明は、室内アンテナ装置に限らず、一般の筐体と基板との取り付け構造に適用できるものである。
【産業上の利用可能性】
【００５２】
本発明の基板を筐体に取り付ける構造は、電装品の製造業に利用可能である。
【図面の簡単な説明】
【００５３】
【図１】本発明の基板を筐体に取り付ける構造を備えた室内アンテナ装置の斜視図である。
【図２】室内アンテナ装置の正面図である。
【図３】図２のＡ−Ａ線断面図である。
【図４】図２の正面側から見た分解斜視図である。
【図５】図２の背面側から見た分解斜視図である。
【図６】図４のさらに詳細な正面側から見た分解斜視図である。
【図７】操作部と筐体本体との関係を示す正面側から見た分解斜視図である。
【図８】操作部と筐体本体との関係を示す背面側から見た分解斜視図である。
【図９】中間部材とスライドスイッチの関係を示す斜視図である。
【図１０】操作部の裏面と筐体本体の摺動面の関係を示す分解斜視図である。
【図１１】本発明の基板と筐体本体との取付関係を示す分解斜視図である。
【図１２】基板とブラケットの関係を示す分解斜視図である。
【図１３】基板とブラケットの関係を示す組み立て斜視図である。
【図１４】ブラケットの斜視図である。
【図１５】本発明の基板と筐体本体との取付関係を示す分解斜視図である。
【図１６】本発明の他の実施の形態を示し、左側図面はブラケットの斜視図、右側図面はブラケットと基板の取付関係を示す斜視図である。
【図１７】従来の基板と筐体の取り付け構造を示す断面図である。
【図１８】従来の基板と筐体の取り付け構造を示す分解断面図である。
【図１９】従来の基板と筐体の取り付け構造を示す組み立て斜視図である。
【符号の説明】
【００５４】
１  筐体、５  基板、１３  枠部材、２１  ブラケット、２２  第１締結手段（第１ねじ）、２３  枠取付部、２４  ボス、２５  第２締結手段（第２ねじ）、２７  共回り防止部。
【図１】
2008270352.tif 000003
【図２】
2008270352.tif 000004
【図３】
2008270352.tif 000005
【図４】
2008270352.tif 000006
【図５】
2008270352.tif 000007
【図６】
2008270352.tif 000008
【図７】
2008270352.tif 000009
【図８】
2008270352.tif 000010
【図９】
2008270352.tif 000011
【図１０】
2008270352.tif 000012
【図１１】
2008270352.tif 000013
【図１２】
2008270352.tif 000014
【図１３】
2008270352.tif 000015
【図１４】
2008270352.tif 000016
【図１５】
2008270352.tif 000017
【図１６】
2008270352.tif 000018
【図１７】
2008270352.tif 000019
【図１８】
2008270352.tif 000020
【図１９】
2008270352.tif 000021